(57)【特許請求の範囲】
【請求項１】
容器本体と、該容器本体に枢着された蓋体と、容器本体と蓋体との接合面を気密状態にする気密部材とを備えた化粧品容器と、該化粧品容器を内部に収納した収納ケース本体と、該収納ケース本体に枢着されたケース蓋とを備えたコンパクトケースにおいて、空気導通孔を有し、前記蓋体を閉じた状態で、かつ、前記空気導通孔の開口部が閉鎖されることによって化粧品容器内と外部との空気の流通を遮断し、前記空気導通孔の開口部が開放されることによって化粧品容器内と外部との空気の流通を許容する弾性材料からなるバルブを、前記容器本体の側壁部に形成した貫通孔に装着し、前記ケース蓋を閉じた状態のとき、前記ケース蓋が前記バルブの空気導通孔の開口面に当接することによって前記空気導通孔の開口部を閉鎖するようにするとともに、前記ケース蓋を開けた状態のとき、前記当接状態が解除されることによって前記バルブの空気導通孔の開口部を開放するようにしたことを特徴とするコンパクトケース。
【請求項２】
前記ケース蓋の収納ケース本体との枢着部の近傍部分が、前記バルブの空気導通孔の開口面に当接するようにするとともに、前記空気導通孔の開口部を閉鎖した状態のとき、バルブの弾発力がケース蓋にかかるようにしたことを特徴とする請求項１記載のコンパクトケース。
【請求項３】
容器本体と、該容器本体に枢着された蓋体と、容器本体と蓋体との接合面を気密状態にする気密部材とを備えた化粧品容器において、空気導通孔を有し、前記蓋体を閉じた状態で、かつ、前記空気導通孔の開口部が閉鎖されることによって化粧品容器内と外部との空気の流通を遮断し、前記空気導通孔の開口部が開放されることによって化粧品容器内と外部との空気の流通を許容する弾性材料からなるバルブを、前記容器本体の側壁部に形成した貫通孔に装着し、前記蓋体を閉じた状態のとき、蓋体が前記バルブの空気導通孔の開口面に当接することによって前記空気導通孔の開口部を閉鎖するようにするとともに、前記蓋体を開けるとき、前記当接状態が解除されることによって前記バルブの空気導通孔の開口部を開放するようにしたことを特徴とする化粧品容器。
【発明の詳細な説明】
【技術分野】
【０００１】
本発明は、化粧品容器及びコンパクトケースに関し、特に、化粧品を収納する気密状態が保持された化粧品容器内の気密状態を解除して、軽い力で蓋体を開けることができる化粧品容器及びこの化粧品容器を収納するコンパクトケースに関するものである。
【背景技術】
【０００２】
一般に、化粧品容器として、容器本体と、容器本体に枢着された蓋体と、容器本体と蓋体との接合面を気密状態にする気密部材とを備えたものが用いられている。
この容器本体は、底部及び底部の周縁から立設される側壁部からなり、蓋体を容器本体の後端側に枢着部を介して開閉可能に取り付け、容器本体と前端側の係合部を介して蓋体を係合し、側壁部と蓋体との間（容器本体と蓋体との接合面）に、Ｏリングやガスケット等の環状の気密部材を配設し、内部を気密状態に保持できるようにしている（例えば、特許文献１〜２参照。）。
【０００３】
ところで、この化粧品容器は、蓋体を閉じた状態では、容器本体と蓋体との間で気密部材が押圧されて変形した状態で気密状態にしているため、容器本体の係合部との係合を解除して蓋体を開けようとしても、気密部材が復元しながら気密状態が維持され、容器内部に外部の空気が流入せずに容器内部が負圧状態となり、蓋体をスムーズに開けることができないという問題があった。
【０００４】
係る問題点に対処するため、特許文献３に開示された化粧品容器においては、化粧品を収納する化粧品収納容器体及びこの化粧品収納容器体を開閉する蓋体を共通の枢軸を介して容器本体に枢着するようにし、蓋体の内面から垂設した吸盤の下端縁を、化粧品収納容器体の側壁部の上面に吸着させることで化粧品収納容器体を気密に被覆し、化粧品収納容器体の底部に通気路を開口するとともに、容器本体の底部にこの通気路を閉鎖する弁部材を埋設し、蓋体を閉じた状態の化粧品収納容器体を容器本体に収納した場合には、通気路を弁部材が閉鎖して化粧品収納容器体内の気密状態を保持するようにされている。
そして、この化粧品容器は、化粧品を使用する場合、化粧品収納容器体の蓋体を開ける際に、化粧品収納容器体を蓋体と共に容器本体に対して揺動させることで通気路の開口部を弁部材から離間させ、通気路を開放するようにして化粧品収納容器体内を外部と連通することで化粧品収納容器体内への空気の流入を許容し、蓋体を開ける際に容器内部が負圧にならず、蓋体をスムーズに開けることができる。
【０００５】
ところで、この化粧品容器は、容器本体に対して蓋体以外に化粧品収納容器体を枢着する必要があるとともに、化粧品収納容器体の通気路を閉鎖する弁部材を容器本体の底部に埋設する必要があるため、構造が複雑になり、また、化粧品容器として全体の厚みを薄くすることができないという問題があった。
【先行技術文献】
【特許文献】
【０００６】
【特許文献１】特許第４６９８０５７号公報
【特許文献２】実開平０１−１６４９１６号公報
【特許文献３】実用新案登録第２５１８３１３号公報
【発明の概要】
【発明が解決しようとする課題】
【０００７】
本発明は、上記従来の化粧品容器の有する問題点に鑑み、化粧品を収納する気密状態が保持された化粧品容器内の気密状態を解除して、軽い力で蓋体を開けることができるとともに、化粧品容器及びこの化粧品容器を収納するコンパクトケース全体の厚みを薄くすることができる化粧品容器及びコンパクトケースを提供することを目的とする。
【課題を解決するための手段】
【０００８】
上記目的を達成するため、本発明のコンパクトケースは、容器本体と、該容器本体に枢着された蓋体と、容器本体と蓋体との接合面を気密状態にする気密部材とを備えた化粧品容器と、該化粧品容器を内部に収納した収納ケース本体と、該収納ケース本体に枢着されたケース蓋とを備えたコンパクトケースにおいて、空気導通孔を有し、前記蓋体を閉じた状態で、かつ、前記空気導通孔の開口部が閉鎖されることによって化粧品容器内と外部との空気の流通を遮断し、前記空気導通孔の開口部が開放されることによって化粧品容器内と外部との空気の流通を許容する弾性材料からなるバルブを、前記容器本体の側壁部に形成した貫通孔に装着し、前記ケース蓋を閉じた状態のとき、前記ケース蓋が前記バルブの空気導通孔の開口面に当接することによって前記空気導通孔の開口部を閉鎖するようにするとともに、前記ケース蓋を開けた状態のとき、前記当接状態が解除されることによって前記バルブの空気導通孔の開口部を開放するようにしたことを特徴とする。
【０００９】
この場合において、前記ケース蓋の収納ケース本体との枢着部の近傍部分が、前記バルブの空気導通孔の開口面に当接するようにするとともに、前記空気導通孔の開口部を閉鎖した状態のとき、バルブの弾発力がケース蓋にかかるようにすることができる。
【００１０】
また、同じ目的を達成するため、本発明の化粧品容器は、容器本体と、該容器本体に枢着された蓋体と、容器本体と蓋体との接合面を気密状態にする気密部材とを備えた化粧品容器において、空気導通孔を有し、前記蓋体を閉じた状態で、かつ、前記空気導通孔の開口部が閉鎖されることによって化粧品容器内と外部との空気の流通を遮断し、前記空気導通孔の開口部が開放されることによって化粧品容器内と外部との空気の流通を許容する弾性材料からなるバルブを、前記容器本体の側壁部に形成した貫通孔に装着し、前記蓋体を閉じた状態のとき、蓋体が前記バルブの空気導通孔の開口面に当接することによって前記空気導通孔の開口部を閉鎖するようにするとともに、前記蓋体を開けるとき、前記当接状態が解除されることによって前記バルブの空気導通孔の開口部を開放するようにしたことを特徴とする。
【発明の効果】
【００１１】
本発明の化粧品容器及びコンパクトケースによれば、空気導通孔を有し、前記蓋体を閉じた状態で、かつ、前記空気導通孔の開口部が閉鎖されることによって化粧品容器内と外部との空気の流通を遮断し、前記空気導通孔の開口部が開放されることによって化粧品容器内と外部との空気の流通を許容する弾性材料からなるバルブを、前記容器本体の側壁部に形成した貫通孔に装着するようにすることにより、空気導通孔の開口部を閉鎖することで化粧品容器内の気密状態が保持されるようにすることで化粧品が外部に漏れ出すことがなく、また、化粧品容器内に外部の空気が流入することがないから、化粧品が乾燥したり劣化したりすることがない。
そして、空気導通孔の開口部を開放することで外部の空気が空気導通孔を通って化粧品容器内に流入し、蓋体を軽い力で開けることができる。
また、容器本体の側壁部に貫通孔を形成し、この貫通孔にバルブを装着するようにすることで、容器本体の底部に特別な加工を施す必要がなく、化粧品容器の厚みを薄くすることができる。
【００１２】
そして、本発明のコンパクトケースは、化粧品容器と、該化粧品容器を内部に収納した収納ケース本体と、該収納ケース本体に枢着されたケース蓋とを備えたコンパクトケースであって、前記ケース蓋を閉じた状態のとき、前記ケース蓋が前記バルブの空気導通孔の開口面に当接することによって前記空気導通孔の開口部を閉鎖するようにするとともに、前記ケース蓋を開けた状態のとき、前記当接状態が解除されることによって前記バルブの空気導通孔の開口部を開放するようにすることにより、コンパクトケースのケース蓋で、化粧品容器のバルブの空気導通孔の開口部の開閉を行うことができ、ケース蓋を閉じることで、化粧品容器内の気密状態が保持され、化粧品容器内に外部の空気が流入することがないから、化粧品が乾燥したり劣化したりすることがない。
【００１３】
また、前記ケース蓋の収納ケース本体との枢着部の近傍部分が、前記バルブの空気導通孔の開口面に当接するようにするとともに、前記空気導通孔の開口部を閉鎖した状態のとき、バルブの弾発力がケース蓋にかかるようにすることにより、コンパクトケースの構造の簡素化を図ることができるとともに、弾発力を有するバルブを、ケース蓋を開放する方向に付勢する付勢手段とすることができる。
【００１４】
また、前記化粧品容器において、前記蓋体を閉じた状態のとき、蓋体が前記バルブの空気導通孔の開口面に当接することによって前記空気導通孔の開口部を閉鎖するようにするとともに、前記蓋体を開けるとき、前記当接状態が解除されることによって前記バルブの空気導通孔の開口部を開放するようにすることにより、空気導通孔の開口部を開閉する部材を蓋体として、化粧品容器の構造の簡素化を図ることができる。
【図面の簡単な説明】
【００１５】
【図１】本発明のコンパクトケースの一実施例を示す平面図である。
【図２】同コンパクトケースを示す、図１の一部切り欠きのＸ−Ｘ断面図である。
【図３】同コンパクトケースに収納する化粧品容器を示し、（ａ）は側面図、（ｂ）は（ａ）のＹ−Ｙ断面図でバルブを取り外した状態、（ｃ）は（ｂ）のＺ−Ｚ断面図、（ｄ）は（ｂ）のＷ方向から見た矢視図である。
【図４】化粧品容器に装着するバルブを示し、（ａ１）は平面図、（ａ２）は正面図、（ｂ１）は第１変形例の平面図、（ｂ２）は同正面図、（ｃ１）は第２変形例の平面図、（ｃ２）は同正面図である。
【図５】同コンパクトケースに収納した化粧品容器のバルブの空気導通孔の開閉状態を説明する一部切り欠き断面の説明図で、（ａ）は空気導通孔の開口部を閉鎖した状態、（ｂ）は空気導通孔の開口部を開放した状態を示す。
【図６】本発明の化粧品容器の一実施例を示す平面図である。
【図７】同化粧品容器を示し、（ａ）は一部切り欠きの正面図、（ｂ）は空気導通孔の開口部を閉鎖した状態の（ａ）のＶ−Ｖ断面図、（ｃ）は空気導通孔の開口部を開放した状態の（ａ）のＶ−Ｖ断面図である。
【発明を実施するための形態】
【００１６】
以下、本発明の化粧品容器及びコンパクトケースの実施の形態を、図面に基づいて説明する。
【実施例１】
【００１７】
図１〜図５に、本発明のコンパクトケース及び化粧品容器の一実施例を示す。
このコンパクトケース５に収納されている化粧品容器１は、容器本体２と、容器本体２に枢着された蓋体３と、容器本体２と蓋体３との接合面を気密状態にする気密部材Ｓとを備え、空気導通孔４０を有し、蓋体３を閉じた状態で、かつ、空気導通孔４０の開口部４０ａが閉鎖されることによって化粧品容器１内と外部との空気の流通を遮断し、空気導通孔４０の開口部４０ａが開放されることによって化粧品容器１内と外部との空気の流通を許容する弾性材料からなるバルブ４を、容器本体２の側壁部２０に形成した貫通孔２１に装着するようにしている。
【００１８】
容器本体２と蓋体３との接合面を気密状態にする気密部材Ｓは、容器本体２の側壁部２０の上面に形成された環状の溝部２０ａに装着されるＯリングやガスケット等の弾性材料で構成されている。
そして、蓋体３の内面側から溝部２０ａに対向するように垂設した環状突条部３０が、蓋体３を閉じた状態のとき、気密部材Ｓに当接して容器本体２と蓋体３との接合面を気密状態に保持するようにしている。
また、容器本体２と蓋体３とは、それぞれの枢着部２Ａ、３Ａの孔部を一致させこの孔部に枢軸を嵌入することで容器本体２に対して蓋体３が揺動自在となるように構成されている。なお、容器本体２と蓋体３との枢着構造は、凹凸状の嵌合構造とすることもできる。
【００１９】
貫通孔２１に装着されるバルブ４は、図４（ａ１）〜図４（ａ２）に示すように、円柱状の胴部４２の一端に胴部４２よりも大径のバルブ本体４１を形成するとともに、他端側に胴部４２及び後述する貫通孔２１の孔部２３よりも大径となる環状の係合片４３を形成するようにしている。
バルブ本体４１は、胴部４２側に環状シール部４４を突出して形成するとともに、この環状シール部４４よりも内側で胴部４２よりも外側に空気導通孔４０を形成し、バルブ本体４１の胴部４２の反対側の面を、空気導通孔４０の開口部４０ａが形成される空気導通孔４０の開口面となるようにしている。
【００２０】
バルブ４に形成する空気導通孔４０の数は特に限定されるものではなく、本実施例においては、２箇所に形成するようにしている。
また、空気導通孔４０を、図４（ｂ１）〜図４（ｂ２）に示すように、バルブ本体４１、胴部４２及び係合片４３を貫通するようにバルブ４の略中心に形成することもでき、この場合、後述する貫通孔２１に凸状部２５を形成する必要はない。
さらに、図４（ｃ１）〜図４（ｃ２）に示すように、空気導通孔４０を、バルブ本体４１の略中心の表面から、胴部４２の長手方向に対して直交する方向に貫通した孔部に到達するように構成することもできる。
【００２１】
容器本体２の側壁部２０に形成する貫通孔２１は、図３（ｂ）に示すように、側壁部２０の外面にバルブ４のバルブ本体４１に形成される環状シール部４４が当接する環状当接面２２と、環状当接面２２の中心と軸心を揃えて形成されるバルブ４の胴部４２より若干大径となる孔部２３と、孔部２３に連なる孔部２３より大径で容器本体２内に開口する大径孔部２４とから構成される。
大径孔部２４と孔部２３との環状段差部分には、図３（ｄ）に示すように、バルブ４の環状の係合片４３の内側が当接する複数（本実施例においては、４箇所）の凸状部２５を形成し、凸状部２５間に形成される凹状溝２６を通して空気が流通するようにしている。
【００２２】
一方、コンパクトケース５は、図１に示すように、上記化粧品容器１と、化粧品容器１を内部に収納した収納ケース本体６と、収納ケース本体６に枢着されたケース蓋７とを備え、ケース蓋７を閉じた状態のとき、ケース蓋７がバルブ４の空気導通孔４０の開口面に当接することによって空気導通孔４０の開口部４０ａを閉鎖するようにするとともに、ケース蓋７を開けた状態のとき、当接状態が解除されることによってバルブ４の空気導通孔４０の開口部４０ａを開放するようしている。
【００２３】
収納ケース本体６は、化粧品容器１が収納される第１収納部６１及び化粧品塗布用のパフ等が収納される第２収納部６２を形成するようにしている。
第１収納部６１は、バルブ４の空気導通孔４０が露出するように、枢着部６０側で側壁部を一部切り欠くようにしている。
【００２４】
収納ケース本体６とケース蓋７とは、それぞれの後部に形成した枢着部６０、７０の孔部を一致させ、この孔部に枢軸を嵌入することで収納ケース本体６に対してケース蓋７が揺動自在となるように構成されている。
また、収納ケース本体６の前部に形成した係合部６３が、ケース蓋７の前部に形成した係合部７３と係合し、閉じた状態のケース蓋７を固定するようにしている。
【００２５】
そして、揺動するケース蓋７の一部が、より具体的には、ケース蓋７の収納ケース本体６との枢着部７０の近傍部分７０Ａが、バルブ４の空気導通孔４０の開口面に当接するようにするとともに、開口部４０ａを閉鎖した状態のとき、弾性材料からなるバルブ４の弾発力がケース蓋７（枢着部７０の近傍部分７０Ａ）にかかるようにして、開口部４０ａを確実に閉鎖するとともに、バルブ４をケース蓋７を開放する方向に付勢する付勢手段とするようにしている。
【００２６】
より具体的には、ケース蓋７は、図２の二点鎖線に示すように、収納ケース本体６の底部の周縁から立設される側壁部の上面と当接する側壁部７１を、天部７２の周縁から立設するように形成し、この側壁部７１の一部を延設することで収納ケース本体６の枢着部６０と枢着する枢着部７０を構成するようにしている。
そして、枢着部７０の近傍部分７０Ａの内側の面がケース蓋７を閉じたときに、バルブ４のバルブ本体４１に当接し、バルブ本体４１に形成した空気導通孔４０の開口部４０ａを閉鎖するようにしている。
【００２７】
また、ケース蓋７の内面側（天部７２の裏側）には、必要に応じて鏡Ｍを配設するようにしている。
【００２８】
次に、このコンパクトケース５を開閉動作について、図５に基づいて説明する。
【００２９】
図５（ａ）に示すように、使用しないときは、コンパクトケース５の収納ケース本体６に蓋体３を閉じた化粧品容器１を収納し、ケース蓋７を閉じた状態で保管する。
このとき、ケース蓋７の枢着部７０の近傍部分７０Ａ（具体的には、近傍部分７０Ａの内側の面）が、バルブ４のバルブ本体４１の表面である空気導通孔４０の開口面に当接し、バルブ４の弾発力が枢着部７０の近傍部分７０Ａにかかることでバルブ本体４１に形成した空気導通孔４０の開口部４０ａが閉鎖されることとなり、化粧品容器１内の気密状態が保持され、化粧品容器１内に外部の空気が流入することがないから、化粧品が乾燥したり劣化したりすることがない。
【００３０】
次に、図５（ｂ）に示すように、ケース蓋７を開けることでケース蓋７の枢着部７０の近傍部分７０Ａが、バルブ４から離間し、バルブ４の空気導通孔４０の開口部４０ａが開放され、外部の空気が空気導通孔４０を通って化粧品容器１内に流入することで、蓋体３を軽い力で開けることができる。
また、バルブ４の弾発力によってケース蓋７は開放する方向に付勢されるから、収納ケース本体６の前部に形成した係合部６３と、ケース蓋７の前部に形成した係合部７３との係合を解除することで、ケース蓋７は開放方向に揺動し、容易にケース蓋７を開放することができる。
【実施例２】
【００３１】
図６〜図７に、本発明の化粧品容器の一実施例を示す。
この化粧品容器１は、容器本体２と、容器本体２に枢着された蓋体３と、容器本体２と蓋体３との接合面を気密状態にする気密部材Ｓとを備え、空気導通孔４０を有し、蓋体３を閉じた状態で、かつ、空気導通孔４０の開口部４０ａが閉鎖されることによって化粧品容器１内と外部との空気の流通を遮断し、空気導通孔４０の開口部４０ａが開放されることによって化粧品容器１内と外部との空気の流通を許容する弾性材料からなるバルブ４を、容器本体２の側壁部２０に形成した貫通孔２１に装着し、蓋体３を閉じた状態のとき、蓋体３がバルブ４の空気導通孔４０の開口面に当接することによって空気導通孔４０の開口部４０ａを閉鎖するようにするとともに、蓋体３を開けるとき、蓋体３のバルブ４への当接状態が解除されることによってバルブ４の空気導通孔４０の開口部４０ａを開放するようにしている。
【００３２】
容器本体２と蓋体３との接合面を気密状態にする気密部材Ｓは、実施例１と同様に、容器本体２の側壁部２０の上面に形成された環状の溝部２０ａに装着されるＯリングやガスケット等の弾性材料で構成されている。
そして、蓋体３の内面側から溝部２０ａに対向するように垂設した環状突条部３０が、蓋体を閉じた状態のとき、気密部材Ｓに当接して容器本体２と蓋体３との接合面を気密状態に保持するようにしている。
また、容器本体２と蓋体３とは、それぞれの枢着部２Ａ、３Ａの孔部を一致させこの孔部に枢軸を嵌入することで容器本体２に対して蓋体３が揺動自在となるように構成されている。
また、蓋体３の内面側には、必要に応じて鏡Ｍを配設するようにしている。
【００３３】
また、貫通孔２１に装着されるバルブ４は、図４（ａ１）〜図４（ａ２）に記載したものを使用するようにしている。
【００３４】
貫通孔２１は、容器本体２の側壁部２０のうち、蓋体３の係合爪３２と係合する係合爪２７を形成した側壁部２０に実施例１と同様の構成で形成するようにしている。
そして、空気導通孔４０の開口部４０ａが形成される空気導通孔４０の開口面（バルブ本体４１の表面）と当接する蓋体３の当接箇所は、蓋体３の係合爪３２を形成した延設部３１の内面側となるようにしている。
【００３５】
この延設部３１は、図６〜図７に示すように、蓋体３の一方に形成される枢着部３Ａの他方に形成され、正面視Ｔ字で上部の２箇所に対向するように係合爪３２を形成するとともに、係合爪３２の下側に段差面３３を形成するようにしている。
そして、延設部３１は、蓋体３を閉じた状態で、後述する押圧部材８内に入り込み、中央の下部の内側の面がバルブ４の空気導通孔４０の開口面に当接することによって空気導通孔４０の開口部４０ａを閉鎖するようにしている。
【００３６】
押圧部材８は、容器本体２の側壁部２０に形成した係合爪２７と延設部３１に形成した係合爪３２との係合を解除するもので、容器本体２の貫通孔２１を形成した側壁部２０の外側に、側壁部２０に対して直交する方向に摺動可能となるように配設するようにしている。
そして、この押圧部材８には、押圧部材８を側壁部２０側に押し込んだときに、貫通孔２１の両脇に上面が傾斜するように突出して形成した突出部２８の傾斜した上面に下面側が、段差面３３に上面側が当接する屈曲部８０が形成されている。
【００３７】
この屈曲部８０は、図７（ｂ）〜図７（ｃ）に示すように、押圧部材８との接合部分は薄肉で先端側が厚肉になっており、押圧部材８を押し込んでいないときは、厚肉部分の下面が突出部２８の傾斜する上面に、厚肉部分の上面が延設部３１の段差面３３に当接又は僅かな隙間を空けて静止している。
そして、押圧部材８を側壁部２０側に押し込むことで厚肉部分の下面が突出部２８の傾斜する上面に当接し薄肉部分が屈曲して、厚肉部分の上面が延設部３１の段差面３３を押圧し、延設部３１の係合爪３２を、側壁部２０の係合爪２７との係合状態を解除する方向に押し上げるとともに、押圧部材８の下端に形成される摺動部８１の先端８１ａが、弾性材料からなるバルブ４のバルブ本体４１を押圧して空気導通孔４０の開口部４０ａが下側に向かって開放されるように弾性変形させ、外部の空気が空気導通孔４０を通って化粧品容器１内に流入することで容器本体２と蓋体３との接合面の気密状態を解除して、係合爪３２と係合爪２７との係合状態が解除されている蓋体３を軽い力で開けることができるようにしている。
【００３８】
この化粧品容器１に装着するバルブ４は、実施例１のコンパクトケース５に収納する化粧品容器１と同様に、図４（ａ１）〜図４（ａ２）に示すように、環状シール部４４よりも中心側で胴部４２よりも外側の２箇所に空気導通孔４０を形成するようにしているが、図４（ｂ１）〜図４（ｂ２）や図４（ｃ１）〜図４（ｃ２）に示すように、バルブ４の略中心の１箇所に空気導通孔４０を形成することで、空気導通孔４０の開口部４０ａの位置を調整することなく、確実に空気導通孔４０の開口部４０ａを閉鎖することができる。
【００３９】
以上、本発明の化粧品容器及びコンパクトケースについて、その実施例に基づいて説明したが、本発明は上記実施例に記載した構成に限定されるものではなく、その趣旨を逸脱しない範囲において適宜その構成を変更することができるものである。
【産業上の利用可能性】
【００４０】
本発明の化粧品容器及びコンパクトケースは、化粧品を収納する気密状態が保持された化粧品容器内の気密状態を解除して、軽い力で蓋体を開けることができるとともに、化粧品容器及びこの化粧品容器を収納するコンパクトケース全体の厚みを薄くすることができることから、コンパクトケース及びそのコンパクトケース内に収納する詰替用の化粧品容器として好適に用いることができるほか、単体で使用する化粧品容器としても好適に用いることができる。
【符号の説明】
【００４１】
１    化粧品容器
２    容器本体
２０  側壁部
２１  貫通孔
３    蓋体
４    バルブ
４０  空気導通孔
４０ａ  開口部
５    コンパクトケース
６    収納ケース本体
６０  枢着部
７    ケース蓋
７０  枢着部
Ｓ    気密部材
【図１】
0006029327.tif 000002
【図２】
0006029327.tif 000003
【図３】
0006029327.tif 000004
【図４】
0006029327.tif 000005
【図５】
0006029327.tif 000006
【図６】
0006029327.tif 000007
【図７】
0006029327.tif 000008